(57)【要約】【課題】多様化したニーズに容易に対応することができる現金管理システムの提供。【解決手段】ロック解除状態で棒金および小束紙幣の少なくともいずれか一方からなる収納物の機外からの入庫および機外への出庫が可能となる現金管理装置１０と、現金管理装置１０とは別体であって現金管理装置１０と通信可能に設けられた指示装置２００と、を有し、指示装置２００は、収納物の入庫指示および出庫指示の少なくともいずれか一方を含む指示情報を現金管理装置１０に送信し、現金管理装置１０は、指示情報を受信すると、他と重複しない処理識別情報を、指示情報と関連づけて記憶し指示装置２００に送信して指示装置２００に表示させるとともに、当該処理識別情報が操作手段を介して入力されるとロック解除状態となる。【選択図】図１
2015191486.tif 000002
【特許請求の範囲】
【請求項１】
ロック解除状態で棒金および小束紙幣の少なくともいずれか一方からなる収納物の機外からの入庫および機外への出庫が可能となる現金管理装置と、
該現金管理装置とは別体であって該現金管理装置と通信可能に設けられた指示装置と、
を有する現金管理システムであって、
前記指示装置は、収納物の入庫指示および出庫指示の少なくともいずれか一方を含む指示情報を前記現金管理装置に送信し、
前記現金管理装置は、前記指示情報を受信すると、他と重複しない処理識別情報を、当該指示情報と関連づけて記憶し前記指示装置に送信して前記指示装置に表示させるとともに、当該処理識別情報が操作手段を介して入力されるとロック解除状態となることを特徴とする現金管理システム。
【請求項２】
複数台の前記指示装置と一台の前記現金管理装置とが通信可能に設けられており、
前記現金管理装置は、複数台の前記指示装置のうちの一の指示装置から一の指示情報を受信すると、他と重複しない処理識別情報を、前記一の指示情報と関連づけて記憶し前記一の指示装置に送信して前記一の指示装置に表示させるとともに、前記処理識別情報が操作手段を介して入力されるとロック解除状態となることを特徴とする請求項１記載の現金管理システム。
【請求項３】
複数台の前記指示装置は同種の装置であることを特徴とする請求項２記載の現金管理システム。
【請求項４】
複数台の前記指示装置は異種の装置であることを特徴とする請求項２記載の現金管理システム。
【請求項５】
前記現金管理装置には、さらに、前記現金管理装置のみと通信可能に設けられ、ロック解除状態で棒金および小束紙幣の少なくともいずれか一方からなる収納物の機外からの入庫および機外への出庫が可能となる一台以上の補助的現金管理装置が接続され、
前記現金管理装置は、前記処理識別情報が操作手段を介して入力されると、前記現金管理装置ないし前記一台以上の補助的現金管理装置のいずれか一以上をロック解除状態となすことを特徴とする請求項１から４のいずれか一項記載の現金管理システム。
【請求項６】
前記指示装置は、操作者を識別する第１の操作者識別手段を有し、該第１の操作者識別手段の識別結果が適正である場合に限り、前記指示情報を前記現金管理装置に送信し、
前記現金管理装置は、操作者を識別する第２の操作者識別手段を有し、該第２の操作者識別手段の識別結果が適正である場合に限り、ロック解除状態になることを特徴とする請求項１から５のいずれか一項記載の現金管理システム。
【請求項７】
前記現金管理装置は、操作者を識別する操作者識別手段を有し、該操作者識別手段の識別結果に応じた出庫限度値が設定されていることを特徴とする請求項１から６のいずれか一項記載の現金管理システム。
【発明の詳細な説明】
【技術分野】
【０００１】
本発明は、棒金および小束紙幣の少なくともいずれか一方からなる現金の管理に用いられる現金管理システムに関する。
【背景技術】
【０００２】
棒金および小束紙幣の管理に用いられる現金管理装置がある（例えば、特許文献１参照）。また、棒金および小束紙幣を収納保管する現金管理装置と、出納機とを通信可能に接続した貨幣処理システムがある（例えば、特許文献２参照）。
【先行技術文献】
【特許文献】
【０００３】
【特許文献１】特開２０１２−４８３６３号公報
【特許文献２】特許第５１９８１５３号公報
【発明の概要】
【発明が解決しようとする課題】
【０００４】
上記した貨幣処理システムにおいては、１台の出納機に対して、複数台の現金管理装置が通信可能に接続されている。この貨幣処理システムでは、出納機にて入力された入出操作の詳細に対して操作番号を特定して記憶しこの操作番号が記載されたレシートを発行する。そして、貨幣管理装置では、操作番号が入力されると通信機能を利用して出納機に記憶された入出操作の詳細を読み出して表示するようになっている。
【０００５】
ところで、金融機関の店舗においては出納機を設置することができない小さな店舗があり、この場合、現金管理装置を出納機以外の指示装置に連携させるニーズがある。また、店舗に出納機があっても、現金管理装置を出納機以外の指示装置に連携させるニーズがあり、また、現金管理装置を複数台の指示装置に連携させるニーズがある等、ニーズが多様化している。このように多様化したニーズに対応するためには、特に指示装置側に大幅な変更が必要となり、コストが増大してしまう。
【０００６】
本発明は、多様化したニーズに容易に対応することができる現金管理システムの提供を目的とする。
【課題を解決するための手段】
【０００７】
上記目的を達成するために、請求項１に係る発明は、ロック解除状態で棒金および小束紙幣の少なくともいずれか一方からなる収納物の機外からの入庫および機外への出庫が可能となる現金管理装置と、該現金管理装置とは別体であって該現金管理装置と通信可能に設けられた指示装置と、を有する現金管理システムであって、前記指示装置は、収納物の入庫指示および出庫指示の少なくともいずれか一方を含む指示情報を前記現金管理装置に送信し、前記現金管理装置は、前記指示情報を受信すると、他と重複しない処理識別情報を、当該指示情報と関連づけて記憶し前記指示装置に送信して前記指示装置に表示させるとともに、当該処理識別情報が操作手段を介して入力されるとロック解除状態となることを特徴とする。
【０００８】
請求項２に係る発明は、請求項１に係る発明において、複数台の前記指示装置と一台の前記現金管理装置とが通信可能に設けられており、前記現金管理装置は、複数台の前記指示装置のうちの一の指示装置から一の指示情報を受信すると、他と重複しない処理識別情報を、前記一の指示情報と関連づけて記憶し前記一の指示装置に送信して前記一の指示装置に表示させるとともに、前記処理識別情報が操作手段を介して入力されるとロック解除状態となることを特徴とする。
【０００９】
請求項３に係る発明は、請求項２に係る発明において、複数台の前記指示装置は同種の装置であることを特徴とする。
【００１０】
請求項４に係る発明は、請求項２に係る発明において、複数台の前記指示装置は異種の装置であることを特徴とする。
【００１１】
請求項５に係る発明は、請求項１から４のいずれか一項に係る発明において、前記現金管理装置には、さらに、前記現金管理装置のみと通信可能に設けられ、ロック解除状態で棒金および小束紙幣の少なくともいずれか一方からなる収納物の機外からの入庫および機外への出庫が可能となる一台以上の補助的現金管理装置が接続され、前記現金管理装置は、前記処理識別情報が操作手段を介して入力されると、前記現金管理装置ないし前記一台以上の補助的現金管理装置のいずれか一以上をロック解除状態となすことを特徴とする。
【００１２】
請求項６に係る発明は、請求項１から５のいずれか一項に係る発明において、前記指示装置は、操作者を識別する第１の操作者識別手段を有し、該第１の操作者識別手段の識別結果が適正である場合に限り、前記指示情報を前記現金管理装置に送信し、前記現金管理装置は、操作者を識別する第２の操作者識別手段を有し、該第２の操作者識別手段の識別結果が適正である場合に限り、ロック解除状態になることを特徴とする。
【００１３】
請求項７に係る発明は、請求項１から６のいずれか一項に係る発明において、前記現金管理装置は、操作者を識別する操作者識別手段を有し、該操作者識別手段の識別結果に応じた出庫限度値が設定されていることを特徴とする。
【発明の効果】
【００１４】
請求項１に係る発明によれば、指示装置が、収納物の入庫指示および出庫指示の少なくともいずれか一方を含む指示情報を現金管理装置に送信すると、現金管理装置は、この指示情報を受信して、他と重複しない処理識別情報を、指示情報と関連づけて記憶し指示装置に送信する。すると、指示装置がこの処理識別情報を表示させる。そして、現金管理装置は、この処理識別情報が操作手段を介して入力されるとロック解除状態となる。このように、現金管理装置において他と重複しない処理識別情報を設定して指示装置と連携することから、多様化したニーズに対応する場合であっても、指示装置側に必要な変更を少なくできる。したがって、多様化したニーズに容易に対応することができる。
【００１５】
請求項２に係る発明によれば、複数台の指示装置のうちの一の指示装置が、収納物の入庫指示および出庫指示の少なくともいずれか一方を含む一の指示情報を現金管理装置に送信すると、現金管理装置は、前記一の指示情報を受信して、他と重複しない処理識別情報を、前記一の指示情報と関連づけて記憶し前記一の指示装置に送信する。すると、前記一の指示装置が前記処理識別情報を表示させる。そして、現金管理装置は、前記処理識別情報が操作手段を介して入力されるとロック解除状態となる。これにより、複数台の指示装置で一台の現金管理装置を共用化するニーズに容易に対応することができる。
【００１６】
請求項３に係る発明によれば、複数台の指示装置は同種の装置であるため、複数台の同種の指示装置で一台の現金管理装置を共用化するニーズに容易に対応することができる。
【００１７】
請求項４に係る発明によれば、複数台の指示装置は異種の装置であるため、複数台の異種の指示装置で一台の現金管理装置を共用化するニーズに容易に対応することができる。
【００１８】
請求項５に係る発明によれば、前記現金管理装置には、さらに、前記現金管理装置のみと通信可能に設けられ、ロック解除状態で棒金および小束紙幣の少なくともいずれか一方からなる収納物の機外からの入庫および機外への出庫が可能となる一台以上の補助的現金管理装置が接続されているので、一つまたは複数台の指示装置のうちの一の指示装置が、収納物の入庫指示および出庫指示の少なくともいずれか一方を含む一の指示情報を現金管理装置に送信すると、現金管理装置は、前記一の指示情報を受信して、他と重複しない処理識別情報を、前記一の指示情報と関連づけて記憶し前記一の指示装置に送信する。すると、前記一の指示装置が前記処理識別情報を表示させる。そして、現金管理装置は、前記処理識別情報が操作手段を介して入力されると前記現金管理装置ないし前記一台以上の補助的現金管理装置のいずれか一以上をロック解除状態となす。これにより、一つまたは複数台の指示装置で一台の現金管理装置とこれにのみ接続される一台以上の補助的現金管理装置を共用化するニーズに容易に対応することができる。
【００１９】
請求項６に係る発明によれば、指示装置は、操作者を識別する第１の操作者識別手段の識別結果が適正である場合に限り、指示情報を現金管理装置に送信する。このため、操作者が権限を有している者であると識別した場合に指示情報を現金管理装置に送信し、操作者が権限を有していない者であると識別した場合に指示情報を現金管理装置に送信しないといった制御が可能になる。また、現金管理装置は、操作者を識別する第２の操作者識別手段の識別結果が適正である場合に限り、ロック解除状態となる。このため、操作者が権限を有している者であると識別した場合にロック解除状態とし、操作者が権限を有していない者であると識別した場合にはロック解除状態にしないといった制御が可能になる。
【００２０】
請求項７に係る発明によれば、現金管理装置は、操作者を識別する操作者識別手段の識別結果に応じた出庫限度値が設定されているため、操作者のランクに応じて出庫限度値を設定できる。
【図面の簡単な説明】
【００２１】
【図１】本発明の一実施形態に係る現金管理システムを示す構成図である。
【図２】本発明の一実施形態に係る現金管理システムを構成する指示装置の要部のブロック図である。
【図３】本発明の一実施形態に係る現金管理システムを構成する現金管理装置の要部のブロック図である。
【図４】本発明の一実施形態に係る現金管理システムを構成する現金管理装置の小束収納庫を示す斜視図である。
【図５】本発明の一実施形態に係る現金管理システムを構成する現金管理装置の棒金収納庫を示す斜視図である。
【図６】本発明の一実施形態に係る現金管理システムを構成する現金管理装置の棒金トレイを示す斜視図である。
【図７】本発明の一実施形態に係る現金管理システムを構成する現金管理装置の小束収納庫近傍を示す部分斜視図である。
【図８】本発明の一実施形態に係る現金管理システムを構成する現金管理装置の小束収納庫を示す平面図であって、（Ａ）は現金管理装置本体に配置される小束セット検知センサとの対応関係を示すもの、（Ｂ）は現金管理装置本体に配置される左端検出ラインセンサ、左側帯検出ラインセンサ、右側帯検出ラインセンサおよび右端検出ラインセンサとの対応関係を示すものである。
【図９】本発明の一実施形態に係る現金管理システムを構成する現金管理装置の棒金収納庫近傍を示す部分斜視図である。
【図１０】本発明の一実施形態に係る現金管理システムを構成する現金管理装置の棒金収納庫を示す平面図であって、（Ａ）は現金管理装置本体に配置される棒金セット検知センサとの対応関係を示すもの、（Ｂ）は現金管理装置本体に配置される棒金検出ラインセンサとの対応関係を示すものである。
【図１１】本発明の一実施形態に係る現金管理システムを構成する現金管理装置の収納庫近傍を示す側面図である。
【図１２】本発明の一実施形態に係る現金管理システムを構成する現金管理装置の収納庫の前部近傍を示す部分斜視図である。
【図１３】本発明の一実施形態に係る現金管理システムを構成する現金管理装置の収納庫の後部近傍を示す側面図である。
【図１４】本発明の一実施形態に係る現金管理システムのバリエーションを説明するためのブロック図である。
【発明を実施するための形態】
【００２２】
本発明の一実施形態に係る現金管理システムを図面を参照して以下に説明する。
【００２３】
本実施形態に係る現金管理システム１は、金融機関の同一店舗内に設置されるものである。現金管理システム１は、図１に示すように、複数台（図示例は３台）の指示装置２００と、これら指示装置２００とは別体であってすべての指示装置２００とＬＡＮ等のネットワークを経由して通信可能に設けられた１台の現金管理装置１０とを有している。１台の現金管理装置１０には、さらに、この１台の現金管理装置１０のみと通信可能に設けられた１台以上（図示例は２台）の補助的現金管理装置１０Ａを有している。補助的現金管理装置１０Ａの構成は、現金管理装置１０とほぼ同等の構成であるが、詳細については後述する。複数台の指示装置２００を指示装置群２０１と称し、１台の現金管理装置１０と１台以上の補助的現金管理装置１０Ａを管理装置群９と称す。
【００２４】
現金管理装置１０は、店舗の係員側スペースに設置されて係員により取り扱われるものであり、より窓口に近い位置で主に小束紙幣および棒金を入庫および出庫可能に収納するものである。
【００２５】
指示装置２００は、上記のように現金管理装置１０とネットワークを経由して通信可能に接続されるものである。指示装置２００は、具体的には、店舗全体の現金類の処理を管理する出納機、窓口に設置され窓口係員により操作されて現金類の処理を管理する窓口端末機、窓口に設置され窓口端末機からの指令に基づいて紙幣および硬貨の出金や入金を行う窓口入出金機、顧客により操作されて高額貨幣から低額貨幣への両替を行う両替機、顧客により操作されて紙幣および硬貨の出金や入金を行う貨幣入出金機等の中から適宜のものを指示装置２００として用いることができる。その場合、複数台の指示装置２００は、窓口端末機と窓口端末機と窓口端末機というように同種の装置としたり、出納機と窓口端末機と両替機というように異種の装置としたり、窓口端末機と窓口端末機と出納機というように同種と異種とを組み合わせたりすることができる。出納機、窓口端末機および窓口入出金機は、店舗の係員側スペースに設置されて係員により取り扱われるものである。
【００２６】
図２に示すように、指示装置２００には、操作者によって操作入力がなされるとともに操作者に対して表示を行う操作表示部２０５と、データを印字により紙面に表示するプリンタ２０６と、操作者に対して操作ガイダンスや警告等の音声を出力する音声発生部２１０とが設けられている。操作表示部２０５は、操作者に対して操作ガイダンス等の情報やデータ、警告等を表示する液晶モニタ等の表示部２０７と、操作者のＩＤカードを走査するカードリーダ２０８（第１の操作者識別手段）と、操作者により操作される操作キーボード２０９（第１の操作者識別手段）とを有している。
【００２７】
さらに、指示装置２００には、操作表示部２０５、プリンタ２０６および音声発生部２１０等に接続されてこれらを制御する制御部２１５（第１の操作者識別手段）と、棒金および小束紙幣の数量情報および金種情報や処理関連のデータ等を記憶する記憶部２１６（第１の操作者識別手段）とが設けられている。
【００２８】
図１に示すように、現金管理装置１０は、箱型の現金管理装置本体１１と、この現金管理装置本体１１に上下方向に複数段具体的には８段設けられた収納庫１２とを有している。これら収納庫１２は、その左右側壁に設けられたスライドレール１３を介して現金管理装置本体１１に対して水平方向に沿ってスライド開閉可能となっている。これら収納庫１２は、前方に引き出され、後方に押し込まれることになり、このように前後方向にのみ所定範囲で移動可能となるように現金管理装置本体１１に連結されている。
【００２９】
複数段の収納庫１２のうち、最も上側のものは、予備収納庫１２（ａ）となっており、結束されていないバラ紙幣、包装されていないバラ硬貨、汚損紙幣や汚損硬貨、金券等を収納する。また、残りの収納庫１２は、上側４段が小束紙幣を収納する小束収納庫１２（ｂ）となっており、下側３段が棒金を収納する棒金収納庫１２（ｃ）となっている。勿論、収納庫１２の全体の数や、そのうちの小束収納庫１２（ｂ）および棒金収納庫１２（ｃ）の個々の数等は任意に設定可能であり、例えば、予備収納庫１２（ａ）以外のすべてを、小束収納庫１２（ｂ）としたり、棒金収納庫１２（ｃ）としたりすることも勿論可能である。
【００３０】
現金管理装置本体１１の上部には、操作者によって操作入力がなされるとともに操作者に対して表示を行う操作表示部１５と、データを印字により紙面に表示するプリンタ１６と、操作者に対して操作ガイダンスや警告等の音声を出力する音声発生部２０とが設けられている。操作表示部１５は、操作者に対して操作ガイダンス等の情報やデータ、警告等を表示する液晶モニタ等の表示部１７と、操作者のＩＤカードを走査するカードリーダ１８（操作者識別手段，第２の操作者識別手段）と、操作者により操作される操作キーボード１９（操作手段，操作者識別手段，第２の操作者識別手段）と、を有している。
ここで、前記したように、前記現金管理装置１０には、１台以上の補助的現金管理装置１０Ａが通信可能に接続されている。言い換えると、１台以上の補助的現金管理装置１０Ａは、前記１台の現金管理装置１０のみと通信可能に接続され、前記現金管理装置１０の制御によって、管理装置群９のいずれか一つ以上がロック解除可能に制御されることになる。加えて、１台以上の補助的現金管理装置１０Ａは、現金管理装置１０に設けられている操作表示部１５、プリンタ１６、表示部１７、カードリーダ１８、操作キーボード１９を有していない。さらには、１台以上の補助的現金管理装置１０Ａは、好ましくは、複数段の収納庫１２のすべてが小束収納庫１２（ｂ）であったり、または、棒金収納庫１２（ｃ）であったりしても良い。
【００３１】
現金管理装置本体１１には、複数の収納庫１２のそれぞれに対して、収納庫１２を閉状態で個別にロックする図３に示すロック機構２２が設けられており、図１に示す複数の収納庫１２のそれぞれの側方に、ロック機構２２のロック解除時のみ点灯する表示灯２３が設けられている。さらに、現金管理装置本体１１には、図３に示すように、操作表示部１５、プリンタ１６、音声発生部２０、ロック機構２２および表示灯２３等に接続されてこれらを制御する制御部２５（操作者識別手段，第２の操作者識別手段）と、収納している棒金および小束紙幣の数量情報および金種情報や処理関連のデータ等を記憶する記憶部２６（操作者識別手段，第２の操作者識別手段）とが設けられている。
【００３２】
収納庫１２は、図４に示すように、取っ手３０が中央に設けられた前板部３１と、前板部３１の左右両側から後方に延出する一対の側板部３２と、一対の側板部３２の後端部同士を連結する後板部３３とを有する枠体３４を有している。この枠体３４は、図４に示す小束収納庫１２（ｂ）と図５に示す棒金収納庫１２（ｃ）とで共通となっている。
【００３３】
図４に示すように、小束収納庫１２（ｂ）は、結束された小束紙幣（収納物）Ｔを入出庫可能に収納するもので、上記した枠体３４内に固定される複数、具体的には前後に５つ左右に２列の合成樹脂製の小束トレイ４０を有している。小束紙幣Ｔは、単一金種の紙幣を所定枚数（１００枚）集積し、規定位置に結束テープｔを巻回して、この結束テープｔを接着することで形成されるものである。
【００３４】
各小束トレイ４０は、機体前後方向に対し直交して立設された前壁部４１と、機体前後方向に対し直交して立設された後壁部４２と、機体左右方向に対し直交して立設された左右一対の側壁部４３と、これらで囲まれた部分の下部を閉塞する水平に沿う底部４４とを有し、上方に開口し下方に凹む形状をなすトレイ本体４５と、トレイ本体４５の底部４４に、前壁部４１および後壁部４２と平行を維持しつつ前後移動可能に設けられた札押さえ板４６と、札押さえ板４６を後壁部４２に向けて付勢する図示略の付勢部材とを有している。トレイ本体４５の底部４４には、札押さえ板４６のスライドを案内するスライド溝４７と、小束紙幣Ｔのセット検知用のセンサ溝４８とが、前後方向に延在し上下方向に貫通するように形成されている。
【００３５】
各小束トレイ４０には、小束紙幣Ｔが、その長辺方向を左右にし短辺方向を上下にし厚さ方向を前後にした立位状態で、上方から挿入されることになり、小束紙幣Ｔは、この立位状態のまま、底部４４に載置され、後壁部４２と札押さえ板４６とに挟持されて収納されることになる。小束トレイ４０には、小束紙幣Ｔが１束から１０束まで収納可能であり、複数の小束紙幣Ｔは、上記立位状態のまま前後方向に重ねられて後壁部４２と札押さえ板４６とに挟持されることになる。つまり、小束トレイ４０には、後壁部４２と、札押さえ板４６と、一対の側壁部４３と、底部４４とで、下方に凹む上方開口形状の束収納凹部４９が形成されることになり、小束紙幣Ｔは、束収納凹部４９にその上部開口を介して上方から挿入されて収納される。
【００３６】
なお、各小束トレイ４０は、それぞれ予め設定された単一金種の小束紙幣Ｔのみが束収納凹部４９に収納されるように決められており、よって、小束収納庫１２（ｂ）には、小束紙幣Ｔの収納位置である束収納凹部４９が金種毎に規定されている。
【００３７】
各小束トレイ４０の束収納凹部４９を構成する一対の側壁部４３間の幅は、収納対象金種の小束紙幣Ｔの長さよりも若干広い幅となっている。また、各小束トレイ４０の束収納凹部４９を構成する底部４４の高さは、いずれの小束トレイ４０においても収納対象金種の小束紙幣Ｔを載置した場合にその上端部の小束収納庫１２（ｂ）での上端部の高さ位置が一定するように設定されている。つまり、高さ（短辺方向長さ）が低い小束紙幣Ｔを収納する小束トレイ４０は、これが配置された小束収納庫１２（ｂ）での底部４４の高さ位置が高くなっており、高さが高い小束紙幣Ｔを収納する小束トレイ４０は、これが配置された小束収納庫１２（ｂ）での底部４４の高さ位置が低くなっている。ただし、各束収納凹部４９の底部４４までの深さは、収納した小束紙幣Ｔを取り出し容易とすべく上方に突出させるように設定されている。
【００３８】
小束トレイ４０の束収納凹部４９には、設定金種以外の長さの長い金種の小束紙幣Ｔと、設定金種以外の高さの高い金種の小束紙幣Ｔとは、適正な収納が困難となり、これにより、一部の誤収納を簡易的に規制するようになっている。つまり、設定金種の小束紙幣Ｔよりも長さの長い小束紙幣Ｔは、一対の側壁部４３間で折れ曲がって収納が困難となり、設定金種の小束紙幣Ｔよりも高さの高い小束紙幣Ｔは、直ぐ上にある収納庫１２の前板部３１に干渉して、この小束紙幣Ｔが収納された小束収納庫１２（ｂ）の現金管理装置本体１１への押し込みを阻害する。各束収納凹部４９には、それぞれの側壁部４３の上面に、収納対象の金種を目視可能に明示する金種明示部５０が設けられている。なお、日本国内で流通する紙幣の場合は、全種類、高さが一定であることから、すべての小束トレイ４０の小束収納庫１２（ｂ）における底部４４の高さ位置も一定となる。各小束トレイ４０に収納すべき設定金種を示す収納金種データは、予め設定されて記憶部２６に記憶されることになる。
【００３９】
図５に示すように、棒金収納庫１２（ｃ）は、単一金種の硬貨が所定枚数集積されて包装紙で包装されてなる棒金（収納物）Ｂを入出庫可能に収納するもので、上記した枠体３４内に固定される複数、具体的には、前後に金種径に応じて６つまたは５つ、左右に４列の合成樹脂製の棒金トレイ５５を有している。
【００４０】
棒金トレイ５５は、棒金Ｂが中心軸線を上下にした立位状態で収納されるものである。棒金トレイ５５は、円筒を一部切り取った形状の湾曲面５６を、複数具体的には左側の３カ所と右側の３カ所と前端１カ所と後端１カ所の８カ所に有する鉛直方向に沿う壁部５７と、壁部５７の下部を閉塞する水平方向に沿う底部５８とを有している。壁部５７および底部５８は、下方に凹む上方開口形状の棒金収納凹部５９を構成している。湾曲面５６は左側の３カ所が左右方向の位置を合わせており、右側の３カ所も左右方向の位置を合わせている。左右前端の湾曲面５６は前後方向の位置を合わせており、中央前端の湾曲面５６はこれらよりも前側に配置されている。左右後端の湾曲面５６は前後方向の位置を合わせており、中央後端の湾曲面５６はこれらよりも後側に配置されている。
【００４１】
これにより、棒金トレイ５５の棒金収納凹部５９には、左側に３本の棒金Ｂが左右方向の位置を合わせて前後１列に並べられ、右側に３本の棒金Ｂが左右方向の位置を合わせて前後１列に並べられ、左右方向の中央に４本の棒金Ｂが左右方向の位置を合わせて前後１列に並べられ、合計１０本の棒金Ｂが収納されるようになっている。左右の棒金Ｂは前後方向の位置を互いに合わせており、中央の棒金Ｂは、これらに対して前後方向の位置をずらしている。棒金Ｂは、棒金収納凹部５９に、その上部開口を介して上方から挿入されることになり、棒金収納凹部５９の壁部５７および他の棒金Ｂで支持されて中心軸線を鉛直配置した立位状態に維持される。
【００４２】
底部５８には、各湾曲面５６と同心をなす８カ所と、これらの内側の前後２カ所とに、各棒金Ｂを載置させる円筒状の載置台部６０が上方に突出するように形成されている。載置台部６０の外径は、棒金Ｂの包装紙の加締部の内径よりも小さくされており、載置台部６０の突出高さは加締部の硬貨からの突出高さよりも高くなっている。これにより、載置台部６０は、棒金Ｂの加締部を逃げて硬貨部分を直接支持するようになっている。載置台部６０の内側は、棒金Ｂのセット検知用の、上下に貫通する貫通孔６１となっている。載置台部６０およびその内側の貫通孔６１も、左側の３カ所が左右方向の位置を合わせて前後１列に並べられており、中央の４カ所が左右方向の位置を合わせて前後１列に並べられていて、右側の３カ所が左右方向の位置を合わせて前後１列に並べられている。
【００４３】
なお、各棒金トレイ５５の棒金収納凹部５９は、それぞれ予め設定された単一金種の棒金Ｂのみが収納されるように決められている。言い換えれば、棒金収納庫１２（ｃ）には、金種毎に棒金Ｂの収納位置である棒金収納凹部５９が規定されている。各棒金トレイ５５の棒金収納凹部５９の湾曲面５６の径は、収納対象金種の棒金Ｂの外径よりも若干大径となっている。また、載置台部６０の外径は、収納対象金種の棒金Ｂの加締部の内径よりも若干小さくされており、載置台部６０の突出高さは収納対象金種の棒金Ｂの加締部の硬貨からの突出高さよりも若干高くなっている。加えて、載置台部６０の高さ位置は、いずれの棒金トレイ５５においても収納対象金種の棒金Ｂを載置した場合にその上端部の棒金収納庫１２（ｃ）での高さ位置が一定するように設定されている。つまり、長さが短い棒金Ｂを収納する棒金トレイ５５は、これが配置された棒金収納庫１２（ｃ）での載置台部６０の高さ位置が高く、長さが長い棒金Ｂを収納する棒金トレイ５５は、これが配置された棒金収納庫１２（ｃ）での載置台部６０の高さ位置が低くなっている。ただし、各棒金収納凹部５９の載置台部６０までの深さは、収納した棒金Ｂを取り出し容易とすべく上方に突出させるように設定されている。
【００４４】
これにより、棒金トレイ５５の棒金収納凹部５９には、設定金種以外の径の大きい金種の棒金Ｂと、設定金種以外の高さの高い金種の棒金Ｂとは、適正な収納が困難となり、これにより、一部の誤収納を簡易的に規制するようになっている。つまり、設定金種の棒金Ｂよりも径の大きい棒金Ｂは壁部５７あるいは他の棒金Ｂに干渉して収納が困難となり、設定金種の棒金Ｂよりも高さの高い棒金Ｂは、直ぐ上にある収納庫１２の前板部３１に干渉して、この棒金Ｂが収納された棒金収納庫１２（ｃ）の現金管理装置本体１１への押し込みを阻害する。各棒金トレイ５５には、それぞれの棒金収納凹部５９より外側の上面に、収納対象の金種を目視可能に明示する金種明示部６２が設けられている。各棒金トレイ５５に収納すべき設定金種を示す収納金種データは、予め設定されて記憶部２６に記憶されることになる。
【００４５】
ここで、左右方向における同列に配置されて前後に並ぶ棒金トレイ５５は、すべて収納対象金種が同一金種となっており、各列の最も前側の棒金トレイ５５は、収納本数が不足した状態でも棒金Ｂを倒さずに収納可能な端数用となっている。そして、端数用の棒金トレイ５５には、図６に示すように、棒金Ｂの転倒防止用の複数具体的には１０本の補助棒６３が隣り合う載置台部６０の間位置に立設されており、端数用であることを明示する端数明示部６４が棒金収納凹部５９より外側に形成されている。１０本の補助棒６３は、棒金収納凹部５９の中央の前後の載置台部６０を、２本共通でそれぞれを６本が囲むように配置されている。これにより、各湾曲面５６の内側に同軸に配置される棒金Ｂは、湾曲面５６とこれに対向する２本あるいは３本の補助棒６３とで単独でも立位状態に維持されることになり、棒金収納凹部５９の中央位置に配置される棒金Ｂは、それぞれ６本の補助棒６３で単独でも立位状態に維持されることになる。その結果、最も前側の棒金トレイ５５の棒金Ｂは、他の棒金Ｂがなくても転倒が防止され立位状態に維持されるようになっている。
【００４６】
ここで、最も前側を除く棒金トレイ５５には必ず棒金Ｂを満杯状態つまり１０本収納し、棒金Ｂを満杯状態以外で収納する場合には、最も前側の棒金トレイ５５に収納することがルール化されており、係員は、最も前側の棒金トレイ５５から棒金Ｂを必要数だけ取り出し、最も前側の棒金トレイ５５が空になり、その後側の棒金トレイ５５から棒金Ｂを取り出す場合には、この後側の棒金トレイ５５の残りの端数の棒金Ｂを、最も前側の棒金トレイ５５に移載するようになっている。
【００４７】
図７に示すように、現金管理装置本体１１の各小束収納庫１２（ｂ）が挿入される小束収納庫挿入空間形成部６５の下部の前端部には、図４に示す小束収納庫１２（ｂ）の左右２列の小束トレイ４０のそれぞれのセンサ溝４８の直ぐ下側となる位置に、センサ溝４８を介して小束紙幣Ｔのセット検知を行う光学反射型の小束セット検知センサ６６が位置固定で設けられている。なお、各センサ溝４８は、束収納凹部４９における小束紙幣Ｔの結束テープｔが所定の一側（左側）にあるときの、結束テープｔの位置に合わせて形成されており、よって、各小束セット検知センサ６６も、図８（Ａ）に示すように、束収納凹部４９における小束紙幣Ｔの結束テープｔが所定の一側（左側）にあるときの、結束テープｔの位置に合わせて配置されている。なお、センサ溝４８は他側である右側にあっても、左右両側にあっても良く、いずれの場合であっても、小束セット検知センサ６６はセット検知だけではなく、帯である結束テープｔの検出センサの補助としても機能する。例えば、左側に小束セット検知センサ６６があったときに、結束テープｔも左側にあれば、小束セット検知センサ６６がその結束テープｔも検出でき、逆に結束テープｔが右側であれば、小束セット検知センサ６６が左側に結束テープｔがないことを検出できる。
【００４８】
また、図７に示すように、現金管理装置本体１１の各小束収納庫１２（ｂ）が挿入される小束収納庫挿入空間形成部６５の上部の前端部には、小束収納庫１２（ｂ）の左右２列の小束トレイ４０のそれぞれの上方近接位置に、図８（Ｂ）にも示すように、小束紙幣Ｔの左端位置を検出する左端検出ラインセンサ６７、小束紙幣Ｔの左側に結束テープｔつまり帯がある場合にこれを検出する左側帯検出ラインセンサ６８、小束紙幣Ｔの右側に結束テープｔがある場合にこれを検出する右側帯検出ラインセンサ６９および小束紙幣Ｔの右端位置を検出する右端検出ラインセンサ７０の４つのセンサが位置固定で設けられている。左端検出ラインセンサ６７、左側帯検出ラインセンサ６８、右側帯検出ラインセンサ６９および右端検出ラインセンサ７０は検出素子を左右方向に並べた光学反射型のラインセンサとなっている。
【００４９】
小束セット検知センサ６６は、１つの小束収納庫１２（ｂ）に対し左右方向に並べられて２個設けられ、また、左端検出ラインセンサ６７、左側帯検出ラインセンサ６８、右側帯検出ラインセンサ６９および右端検出ラインセンサ７０の組が、１つの小束収納庫１２（ｂ）に対し左右方向に並べられて２組設けられている。
【００５０】
小束セット検知センサ６６は、発光素子が検出方向を上方に向けており、上方に発光した光の上方からの反射光を対応する受光素子で受光するようになっている。その結果、各小束収納庫１２（ｂ）のそれぞれの直ぐ下に設けられた小束セット検知センサ６６が、これらの直ぐ上で前後にスライドする小束収納庫１２（ｂ）の各束収納凹部４９に収納された小束紙幣Ｔの下端部の反射光データである貨幣検出反射データ（貨幣検出情報）をセンサ溝４８を介して取得することになる。
【００５１】
左端検出ラインセンサ６７、左側帯検出ラインセンサ６８、右側帯検出ラインセンサ６９および右端検出ラインセンサ７０は、各発光素子が検出方向を下方に向けており、下方に発光した光の下方からの反射光を対応する受光素子で受光するようになっている。その結果、各小束収納庫１２（ｂ）のそれぞれの直ぐ上に設けられた左端検出ラインセンサ６７、左側帯検出ラインセンサ６８、右側帯検出ラインセンサ６９および右端検出ラインセンサ７０が、これらの直ぐ下で前後にスライドする小束収納庫１２（ｂ）の各束収納凹部４９に収納された小束紙幣Ｔの上端部の反射光データである貨幣検出反射データ（貨幣検出情報）を取得することになる。
【００５２】
なお、検出対象となる小束収納庫１２（ｂ）が最も現金管理装置本体１１から引き出されて図示略の前端位置ストッパに当接し停止する前端位置から最も現金管理装置本体１１に押し込まれて図示略の後端位置ストッパに当接し停止する後端位置まで移動すると、小束セット検知センサ６６、左端検出ラインセンサ６７、左側帯検出ラインセンサ６８、右側帯検出ラインセンサ６９および右端検出ラインセンサ７０は、検出対象となる小束収納庫１２（ｂ）の各束収納凹部４９の前後方向の全範囲を検出できるようになっている。小束セット検知センサ６６は、小束収納庫１２（ｂ）の開閉に伴って通過する、この小束収納庫１２（ｂ）内の小束紙幣Ｔの下端部から貨幣検出反射データを取得することになり、左端検出ラインセンサ６７、左側帯検出ラインセンサ６８、右側帯検出ラインセンサ６９および右端検出ラインセンサ７０は、小束収納庫１２（ｂ）の開閉に伴って通過する、この小束収納庫１２（ｂ）内の小束紙幣Ｔの上端部から貨幣検出反射データを取得することになる。
【００５３】
ここで、制御部２５は、小束セット検知センサ６６の貨幣検出反射データから、反射光量が多いセンサ溝４８上の紙幣あるいは結束テープｔと、紙幣がなく反射光量が少なくなる他の部分（センサ溝４８上の空間、センサ溝４８以外の部分）とを区別することで、小束紙幣Ｔが収納されている範囲を検出する。
【００５４】
また、小束紙幣Ｔには、一束ずつに結束テープｔが巻回されており、この結束テープｔが上端部にも存在することから、制御部２５は、左側帯検出ラインセンサ６８および右側帯検出ラインセンサ６９の貨幣検出反射データから、反射光量が多い結束テープｔと、結束テープｔが巻回されず反射光量が少なくなる紙幣部分と、紙幣がなく反射光量がさらに少なくなる他の部分（束収納凹部４９内外の空間）とを区別することになる。
【００５５】
また、制御部２５は、左側帯検出ラインセンサ６８および右側帯検出ラインセンサ６９の貨幣検出反射データから、隣り合う小束紙幣Ｔの結束テープｔと結束テープｔとの間の反射光量が少なくなる部分や、隣り合う小束紙幣Ｔの結束テープｔと紙幣との間の反射光量が少なくなる部分を検出することで、隣り合う小束紙幣Ｔの間部分を検出する。
【００５６】
さらに、制御部２５は、左端検出ラインセンサ６７および右端検出ラインセンサ７０の貨幣検出反射データから、反射光量が多い紙幣部分と、紙幣がなく反射光量が少なくなる他の部分（束収納凹部４９内外の空間）とを区別することで、紙幣部分の端部を検出した各受光素子の位置から小束紙幣Ｔの長さ方向の両端部の位置を検出する。
【００５７】
制御部２５は、後述するロータリエンコーダ８８で検知ディスク８７のスリットを検知する毎に小束セット検知センサ６６、左端検出ラインセンサ６７、左側帯検出ラインセンサ６８、右側帯検出ラインセンサ６９および右端検出ラインセンサ７０のそれぞれの貨幣検出反射データを取り込むことになり、取り込んだそれぞれの貨幣検出反射データを、後述するロータリエンコーダ８８の開閉位相データに基づいて、例えば所定の一定開閉速度での貨幣検出反射データに補正する。
【００５８】
そして、制御部２５は、小束セット検知センサ６６で小束紙幣Ｔが検出されている範囲を基準として検出範囲を設定し、この検出範囲における、左側帯検出ラインセンサ６８および右側帯検出ラインセンサ６９の補正後の貨幣検出反射データと、記憶部２６に記憶された小束紙幣Ｔ用の数量マスタデータ（数量マスタ情報）とを照合することで、小束収納庫１２（ｂ）内の小束紙幣Ｔの数量である数量検出データ（数量検出情報）を取得する。例えば、補正後の貨幣検出反射データの中で、一つの結束テープｔと判断できる、数量マスタデータの結束テープ判断基準光量データ以上の光量があり且つ数量マスタデータの結束テープ判断基準面積データ以上の纏まった面積を有する結束テープ部分を数えて、これを小束紙幣Ｔの数量である数量検出データとする。勿論、制御部２５は、小束セット検知センサ６６、左端検出ラインセンサ６７、左側帯検出ラインセンサ６８、右側帯検出ラインセンサ６９および右端検出ラインセンサ７０の左側の組と、小束セット検知センサ６６、左端検出ラインセンサ６７、左側帯検出ラインセンサ６８、右側帯検出ラインセンサ６９および右端検出ラインセンサ７０の右側の組とのそれぞれについて、別々に、小束紙幣Ｔの数量検出データを取得する。
【００５９】
また、制御部２５は、上記検出範囲における、左端検出ラインセンサ６７および右端検出ラインセンサ７０の補正後の貨幣検出反射データと、記憶部２６に記憶された金種マスタデータ（金種マスタ情報）とを照合することで、小束収納庫１２（ｂ）内の小束紙幣Ｔの金種である金種検出データ（金種検出情報）を取得する。例えば、左端検出ラインセンサ６７および右端検出ラインセンサ７０の補正後の貨幣検出反射データの中で、上記のように検出した結束テープ部分と前後方向位置が同じ部分のデータから、光量が金種マスタデータの紙幣判断基準光量データ以上となる部分と未満となる部分との境界位置を割り出し、左右両側の境界位置間の長さを、金種マスタデータの金種基準長さデータと比較して、許容範囲内で一致する金種基準長さデータに対応する金種を、この結束テープ部分に対応する小束紙幣Ｔの金種とする金種検出データを取得する金種判断を行う。勿論、制御部２５は、小束セット検知センサ６６、左端検出ラインセンサ６７、左側帯検出ラインセンサ６８、右側帯検出ラインセンサ６９および右端検出ラインセンサ７０の左側の組と、小束セット検知センサ６６、左端検出ラインセンサ６７、左側帯検出ラインセンサ６８、右側帯検出ラインセンサ６９および右端検出ラインセンサ７０の右側の組とのそれぞれについて、別々に、小束紙幣Ｔの金種検出データを取得する。
【００６０】
なお、制御部２５は、小束収納庫１２（ｂ）内のすべての束収納凹部４９について、左端検出ラインセンサ６７および右端検出ラインセンサ７０で検出される規定の金種以外の金種の小束紙幣Ｔが収納されていること、つまり対応金種の収納位置に収納されていない異金種小束紙幣Ｔを検出すると、表示部１７に警告表示を行わせ、音声発生部２０で警告音を発生させる。
【００６１】
図９に示すように、現金管理装置本体１１の各棒金収納庫１２（ｃ）が挿入される棒金収納庫挿入空間形成部７５の下部の前端部には、棒金収納庫１２（ｃ）の左右４列の棒金トレイ５５のそれぞれの３列の貫通孔６１の直ぐ下側となる位置に、左右方向に同列で前後方向に並ぶ貫通孔６１を介して棒金Ｂのセット検知を行う光学反射型の棒金セット検知センサ７６が位置固定で設けられている。
【００６２】
また、現金管理装置本体１１の各棒金収納庫１２（ｃ）が挿入される棒金収納庫挿入空間形成部７５の上部の前端部には、棒金収納庫１２（ｃ）の左右４列の棒金トレイ５５のそれぞれの３列の載置台部６０の上方近接位置に、左右方向に同列で前後方向に並ぶ棒金Ｂの上端部を検出する、検出素子を左右方向に並べた光学反射型の棒金検出ラインセンサ７７が、それぞれ位置固定で設けられている。
【００６３】
つまり、棒金セット検知センサ７６は、図１０（Ａ）にも示すように、１つの棒金収納庫１２（ｃ）に対し左右方向に並べられて１２カ所設けられ、棒金検出ラインセンサ７７は、図１０（Ｂ）にも示すように、１つの棒金収納庫１２（ｃ）に対し左右方向に並べられて１２カ所設けられている。
【００６４】
棒金セット検知センサ７６は、発光素子が検出方向を上方に向けており、上方に発光した光の上方からの反射光を対応する受光素子で受光するようになっている。その結果、各棒金収納庫１２（ｃ）のそれぞれの直ぐ下に設けられた棒金セット検知センサ７６が、これらの直ぐ上で前後にスライドする棒金収納庫１２（ｃ）の各棒金収納凹部５９に収納された棒金Ｂの下端部の反射光データである貨幣検出反射データ（貨幣検出情報）を貫通孔６１を介して取得することになる。
【００６５】
棒金検出ラインセンサ７７は、各発光素子が検出方向を下方に向けており、下方に発光した光の下方からの反射光を対応する受光素子で受光するようになっている。その結果、各棒金収納庫１２（ｃ）のそれぞれの直ぐ上に設けられた棒金検出ラインセンサ７７が、これらの直ぐ下で前後にスライドする棒金収納庫１２（ｃ）の各棒金収納凹部５９に収納された棒金Ｂの上端部の反射光データである貨幣検出反射データ（貨幣検出情報）を取得することになる。
【００６６】
なお、検出対象となる棒金収納庫１２（ｃ）が最も現金管理装置本体１１から引き出されて図示略の前端位置ストッパに当接し停止する前端位置から最も現金管理装置本体１１に押し込まれて図示略の後端位置ストッパに当接し停止する後端位置まで移動すると、棒金セット検知センサ７６および棒金検出ラインセンサ７７は、検出対象となる棒金収納庫１２（ｃ）の各棒金収納凹部５９の前後方向の全範囲を検出できるようになっている。棒金セット検知センサ７６は、棒金収納庫１２（ｃ）の開閉に伴って通過する、この棒金収納庫１２（ｃ）内の棒金Ｂの下端部から貨幣検出反射データを取得することになり、棒金検出ラインセンサ７７は、棒金収納庫１２（ｃ）の開閉に伴って通過する、この棒金収納庫１２（ｃ）内の棒金Ｂの上端部から貨幣検出反射データを取得することになる。
【００６７】
ここで、制御部２５は、棒金セット検知センサ７６の貨幣検出反射データから、反射光量が多い貫通孔６１上の棒金Ｂと、棒金Ｂがなく反射光量が少なくなる他の部分（貫通孔６１上の空間、貫通孔６１以外の部分）とを区別することで、棒金Ｂが収納されている範囲を検出する。
【００６８】
また、制御部２５は、棒金検出ラインセンサ７７の貨幣検出反射データから、反射光量が多い棒金Ｂと、反射光量が少なくなる他の部分（棒金収納凹部５９内外の空間）とを区別することになり、棒金Ｂの他の部分との境界位置である外周部を検出した各受光素子の位置から棒金Ｂの外周部の位置を検出する。また、棒金Ｂの反射光量から金種を識別することになり、反射光量が少なくなる他の部分のうち、形状、大きさおよび外周部に対する位置から棒金Ｂ内の孔であるか否かを識別することになる。
【００６９】
制御部２５は、後述するロータリエンコーダ８８で検知ディスク８７のスリットを検知する毎に棒金セット検知センサ７６および棒金検出ラインセンサ７７のそれぞれの貨幣検出反射データを取り込むことになり、取り込んだそれぞれの貨幣検出反射データを、後述するロータリエンコーダ８８の開閉位相データに基づいて、例えば所定の一定開閉速度での貨幣検出反射データに補正する。
【００７０】
そして、制御部２５は、棒金セット検知センサ７６で棒金Ｂが検出されている範囲を基準として検出範囲を設定し、この検出範囲における、棒金検出ラインセンサ７７の補正後の貨幣検出反射データと、記憶部２６に記憶された棒金Ｂ用の数量マスタデータ（数量マスタ情報）とを照合することで、棒金収納庫１２（ｃ）内の棒金Ｂの数量である数量検出データ（数量検出情報）を取得する。例えば、棒金検出ラインセンサ７７の補正後の貨幣検出反射データの中で、一つの棒金Ｂと判断できる、数量マスタデータの棒金判断基準光量データ以上の光量があり且つ数量マスタデータの棒金判断基準面積データ以上の纏まった面積を有する棒金部分を数えて、これを棒金Ｂの数量である数量検出データとする。勿論、制御部２５は、棒金セット検知センサ７６および棒金検出ラインセンサ７７の各組それぞれについて、別々に、棒金Ｂの数量検出データを取得する。
【００７１】
また、制御部２５は、上記検出範囲における、棒金検出ラインセンサ７７の補正後の貨幣検出反射データと、記憶部２６に記憶された金種マスタデータ（金種マスタ情報）とを照合することで、棒金収納庫１２（ｃ）内の棒金Ｂの金種である金種検出データ（金種検出情報）を取得する。例えば、棒金検出ラインセンサ７７の補正後の貨幣検出反射データの中で、上記のように検出し棒金部分と前後方向位置が同じ部分のデータから、光量が金種マスタデータの棒金判断基準光量データ以上となる部分と未満となる部分との境界位置を割り出して、棒金Ｂの外径および孔の有無を求め、これらと棒金部分の貨幣検出反射データの反射光量とを金種マスタデータの金種基準データと比較して、許容範囲内で一致する金種基準データに対応する金種を、この棒金部分に対応する棒金Ｂの金種とする金種検出データを取得する金種判断を行う。勿論、制御部２５は、左右方向の位置が合う棒金セット検知センサ７６および棒金検出ラインセンサ７７の各組それぞれについて、別々に、棒金Ｂの金種検出データを取得する。
【００７２】
なお、制御部２５は、小束収納庫１２（ｂ）内のすべての棒金収納凹部５９について、棒金検出ラインセンサ７７で検出される規定の金種以外の金種の棒金Ｂが収納されていること、つまり対応金種の収納位置に収納されていない異金種棒金Ｂを検出すると、表示部１７に警告表示を行わせ、音声発生部２０で警告音を発生させる。
【００７３】
現金管理装置本体１１には、すべての小束収納庫挿入空間形成部６５およびすべての棒金収納庫挿入空間形成部７５のそれぞれの前端位置と後端位置とに、図１１に示すように、支持軸８１，８２を介して歯付プーリ８３，８４が位置固定で回転可能に設けられており、後端の歯付プーリ８４の上側にも、支持軸８５を介して歯付プーリ８６が位置固定で回転可能に設けられている。支持軸８５には、所定の等間隔でスリットが形成された検知ディスク８７が歯付プーリ８６と一体回転するように設けられており、現金管理装置本体１１には、検知ディスク８７の上側に検知ディスク８７の回転を検知するロータリエンコーダ８８が位置固定で設けられている。なお、ロータリエンコーダ８８は、検知ディスク８７のスリットの検知数から検知ディスク８７の回転量を検知することになる。
【００７４】
そして、三つの歯付プーリ８３，８４，８６にはタイミングベルト９１が巻回されており、このタイミングベルト９１には、収納庫１２のうちの挿入されたものの後端部が固定されている。これにより、収納庫１２が開閉されるとこれに連動してタイミングベルト９１が回転して三つの歯付プーリ８３，８４，８６および検知ディスク８７を回転させることになり、よって、ロータリエンコーダ８８が、検知ディスク８７の回転データである個別の収納庫１２の開閉位相データ（開閉位相情報）を取得することになる。制御部２５は、この開閉位相データから収納庫１２の開閉方向およびその位置を割り出すことになる。なお、検知ディスク８７と一体回転する歯付プーリ８６の前方にはタイミングベルト９１の弛みをとるテンションプーリ９２が設けられている。
【００７５】
また、現金管理装置本体１１には、すべての小束収納庫挿入空間形成部６５およびすべての棒金収納庫挿入空間形成部７５のそれぞれの後端位置に、収納庫１２のうちの挿入されたものの後端部の検知片９５を検知することで、この収納庫１２が現金管理装置本体１１に最も押し込まれた後端位置である全閉位置にあることを示す開閉位相データ（開閉位相情報）を取得する全閉検知センサ９６が位置固定で設けられている。現金管理装置本体１１には、小束収納庫挿入空間形成部６５および棒金収納庫挿入空間形成部７５のそれぞれの前端位置に、収納庫１２のうちの挿入されたものの後端部の検知片９５を検知することで、この収納庫１２が現金管理装置本体１１から最も引き出された前端位置である全開位置にあることを示す開閉位相データ（開閉位相情報）を取得する全開検知センサ９７が位置固定で設けられている。つまり、全閉検知センサ９６および全開検知センサ９７は、収納庫１２の開閉位相情報を取得する。
【００７６】
加えて、現金管理装置本体１１には、すべての小束収納庫挿入空間形成部６５およびすべての棒金収納庫挿入空間形成部７５のそれぞれの前部位置に、図１２に示すように、収納庫１２のうちの挿入されたものの側板部３２から突出する係合ピン１０１に係合することでこの収納庫１２を全閉位置でロックするロック機構２２が設けられている。つまり、収納庫１２のそれぞれに対して、収納庫１２を閉状態で個別にロックするロック機構２２が設けられている。
【００７７】
各ロック機構２２は、ソレノイド１０２と、ソレノイド１０２の駆動で支持軸１０３を中心に回動する鉤形のロック部材１０４とを有している。ロック部材１０４は、前端の爪部１０５が下降状態にあるとき係合ピン１０１に係合して収納庫１２を引き出し不可にロックする一方、ソレノイド１０２が電気的に駆動され、爪部１０５が上昇状態となると係合ピン１０１への係合つまりロックを解除して収納庫１２を引き出し可能とし開作動を許容するロック解除状態となる。このロック解除状態で収納庫１２は、棒金および小束紙幣のうちの収納している収納物の機外からの入庫および機外への出庫が可能となる。
【００７８】
また、各ロック機構２２は、収納庫１２の引き出し後にソレノイド１０２の駆動が解除されると、ロック部材１０４は、爪部１０５が下降状態となり、この状態で、収納庫１２が全閉位置の戻されると、係合ピン１０１が爪部１０５を押し上げた後に下降させることになり、爪部１０５が係合ピン１０１に係合して収納庫１２を引き出し不可に自動的かつ機械的にロックする。
【００７９】
加えて、現金管理装置本体１１には、すべての小束収納庫挿入空間形成部６５およびすべての棒金収納庫挿入空間形成部７５のそれぞれの後端位置に、一つの収納庫１２が引き出された状態では他のすべての収納庫１２の引き出しを規制することで現金管理装置１０の転倒を防止する図１３に示す転倒防止機構１１０が設けられている。この転倒防止機構１１０は、現金管理装置本体１１に上下に移動可能に支持された昇降体１１１と、収納庫１２のそれぞれの後端部に設けられた作動ピン１１２とを有している。昇降体１１１は、各収納庫１２の位置に、前下がりで傾斜する溝部１１３が形成された規制部材１１４を有している。
【００８０】
転倒防止機構１１０は、一つの収納庫１２が引き出されると、その作動ピン１１２が、図１３（Ａ）から図１３（Ｂ）に示すように、溝部１１３を移動することで溝部１１３の傾斜により昇降体１１１を上昇させる。この状態では、図１３（Ｂ）に示すように、他の収納庫１２の作動ピン１１２の前方に、規制部材１１４が溝部１１３の後端を作動ピン１１２よりも上昇させた状態で配置されることになり、これにより、規制部材１１４が作動ピン１１２に当接して収納庫１２の引き出しを規制する。
【００８１】
昇降体１１１は摩擦により下降が規制されるようになっており、図１３（Ｂ）から図１３（Ａ）に示すように、引き出されていた収納庫１２が戻されると、その作動ピン１１２が溝部１１３を移動することで溝部１１３の傾斜により昇降体１１１を下降させる。この状態では、図１３（Ａ）に示すように、すべて収納庫１２の作動ピン１１２の前方に、規制部材１１４が溝部１１３の後端を作動ピン１１２と高さを合わせた状態で配置されることになり、これにより、規制部材１１４が作動ピン１１２を溝部１１３に挿入させることが可能となり、すべての収納庫１２について択一的な引き出しを許容する状態となる。
【００８２】
そして、本実施形態において、制御部２５は、すべての小束収納庫１２（ｂ）のそれぞれについて、一の小束収納庫１２（ｂ）に対して設けられた全閉検知センサ９６および全開検知センサ９７の検知結果である開閉位相データからこの一の小束収納庫１２（ｂ）が開閉両端位置以外にあり、かつ、この一の小束収納庫１２（ｂ）に対して設けられたロータリエンコーダ８８の開閉位相データからこの一の小束収納庫１２（ｂ）が停止していると判定した状態にあるとき、この一の小束収納庫１２（ｂ）に対して設けられた小束セット検知センサ６６、左端検出ラインセンサ６７、左側帯検出ラインセンサ６８、右側帯検出ラインセンサ６９および右端検出ラインセンサ７０のいずれかの貨幣検出反射データに所定の変化が生じると、不正処理が生じたと判定する。不正処理が生じたと判定すると、制御部２５は、その旨のアラーム表示を表示部１７に表示させるとともに、アラーム音を音声発生部２０に発生させて警告する。
【００８３】
小束セット検知センサ６６、左端検出ラインセンサ６７、左側帯検出ラインセンサ６８、右側帯検出ラインセンサ６９および右端検出ラインセンサ７０における貨幣検出反射データのこの所定の変化は、数量マスタデータに基づいて変化の有無が判定されるものであり、具体的には、貨幣検出反射データが、数量マスタデータのうち小束紙幣Ｔが有ることを判定する束有判定基準データ以上である、小束紙幣Ｔを検出していると判定する状態から、束有判定基準データ未満である、小束紙幣Ｔを検出していないと判定する状態への変化と、小束紙幣Ｔを検出していないと判定する状態から、検出していると判定する状態への変化との両方となっている。なお、貨幣検出反射データの上記の所定の変化として、左端検出ラインセンサ６７、左側帯検出ラインセンサ６８、右側帯検出ラインセンサ６９および右端検出ラインセンサ７０のいずれかが、指を検出していない状態から指を検出したと判定できる状態への変化を合わせても良い。
【００８４】
また、制御部２５は、すべての棒金収納庫１２（ｃ）のそれぞれについて、一の棒金収納庫１２（ｃ）に対して設けられた全閉検知センサ９６および全開検知センサ９７の検知結果である開閉位相データからこの一の棒金収納庫１２（ｃ）が開閉両端位置以外にあり、かつ、この一の棒金収納庫１２（ｃ）に対して設けられたロータリエンコーダ８８の開閉位相データからこの一の棒金収納庫１２（ｃ）が停止していると判定した状態にあるとき、この一の棒金収納庫１２（ｃ）に対して設けられた棒金セット検知センサ７６および棒金検出ラインセンサ７７のいずれかの貨幣検出反射データに所定の変化が生じると、不正処理が生じたと判定する。不正処理が生じたと判定すると、制御部２５は、その旨のアラーム表示を表示部１７に表示させるとともに、アラーム音を音声発生部２０に発生させて警告する。
【００８５】
棒金セット検知センサ７６における貨幣検出反射データのこの所定の変化は、数量マスタデータに基づいて変化の有無が判定されるものであり、具体的には、貨幣検出反射データが、数量マスタデータのうち棒金Ｂが有ることを判定する棒金有判定基準データ以上である、棒金Ｂを検出していると判定する状態から、棒金有判定基準データ未満である、棒金Ｂを検出していないと判定する状態への変化と、棒金Ｂを検出していないと判定する状態から、検出していると判定する状態への変化との両方となっている。なお、貨幣検出反射データの上記の所定の変化として、棒金検出ラインセンサ７７が、指を検出していない状態から指を検出したと判定できる状態への変化を合わせても良い。
【００８６】
以上の構成の本実施形態に係る現金管理システム１に対しては、操作者が、入出金機に補充する等の目的で現金管理装置１０から現金を取り出したり、現金管理装置１０に現金を補充したりする。つまり、操作者が、現金管理装置１０から棒金Ｂおよび小束紙幣Ｔのうちの少なくともいずれか一方を手作業で機外に取り出す出庫、現金管理装置１０に棒金Ｂおよび小束紙幣Ｔのうちの少なくともいずれか一方を機外から手作業で収納する入庫、および入庫と出庫とを同時に行う入庫・出庫のいずれかの入出庫取引を行う。
【００８７】
その際に、まず、入出庫取引の開始にあたって、操作者は、複数の指示装置２００のうちの任意の一つを選択して、カードリーダ２０８にＩＤカードに記憶されている操作者識別番号データを読み取らせ操作キーボード２０９に暗証番号データを入力する。なお、現金管理装置１０の設定によっては暗証番号の入力を省略することも可能となっている。以下、この入出庫取引を他の入出庫取引と区別するため、第１の入出庫取引と称す。また、この選択された指示装置２００を他の指示装置２００と区別するため、第１の指示装置２００と称す。
【００８８】
第１の指示装置２００の制御部２１５が、入力されたこれらの操作者識別番号データおよび暗証番号データに基づいて操作者を識別する。つまり、第１の指示装置２００の制御部２１５は、入力されたこれらの操作者識別番号データおよび暗証番号データと一致するデータが第１の指示装置２００の記憶部２１６に予め記憶された操作者識別番号のマスタデータおよび暗証番号のマスタデータにあるか否かを判定し、いずれか一方でもマスタデータにない場合、第１の指示装置２００の表示部２０７にその旨の警告を発生させるとともに、第１の指示装置２００の音声発生部２１０にアラーム音を発生させる。
【００８９】
入力された操作者識別番号データおよび暗証番号データと一致する操作者識別番号および暗証番号のマスタデータがある場合、つまり、操作者が適正である場合に、第１の指示装置２００の制御部２１５は、操作者識別番号データに対応づけして第１の指示装置２００の記憶部２１６に記憶されている操作者ランクに応じた操作メニューを第１の指示装置２００の表示部２０７に表示させる。操作者ランクは、すべての指示装置２００の記憶部２１６に予め記憶されている。操作者ランクは、現金管理装置１０の入出庫取引の設定入力が許可されている上位のランクと、現金管理装置１０の入出庫取引の設定入力が許可されていない下位のランクとがあり、操作者ランクが現金管理装置１０の入出庫取引の設定入力が許可されているランクである場合に限り、操作メニューに現金管理装置１０の入出庫取引の設定入力の選択メニューが表示される。
【００９０】
操作メニューの表示に基づく第１の指示装置２００の操作キーボード２０９への入力で、入出庫取引の設定入力が選択されると、第１の指示装置２００の制御部２１５は、日時情報を含む第１の入出庫取引の設定識別データを設定するとともに、小束収納庫１２（ｂ）に対し入出庫される小束紙幣Ｔおよび棒金収納庫１２（ｃ）に対し入出庫される棒金Ｂのうちの少なくともいずれか一方について少なくとも一の金種である金種入力データの入力と、入力された金種入力データのそれぞれについての入庫であるか出庫であるかの区別データの入力と、入力された金種入力データのそれぞれについての数量である数量入力データの入力と、を促す表示を、第１の指示装置２００の表示部２０７に表示させる。
【００９１】
操作キーボード２０９によって、金種入力データ、区別データおよび数量入力データの情報が入力されると、この入力が適正である場合に限り、第１の指示装置２００の制御部２１５は、入力データの設定を確定する確定操作を促す表示を第１の指示装置２００の表示部２０７に表示させて確定操作を許可する。
【００９２】
ここで、上記の入出庫取引の設定入力時に、出庫の限度額を無制限としても良いが、指示装置２００の記憶部２１６に、操作者識別番号データに応じた出庫限度額（出庫限度値）を記憶しておき、金種入力データと数量入力データとから割り出される出庫の合計金額が、操作者識別番号データに対応する出庫限度額を越えている場合には、出庫限度額を越えている旨のアラーム表示を表示させて再入力を待機し、操作者識別番号データに対応する出庫限度額を越えていない場合のみ、確定操作を許可するようにしても良い。このような入出庫取引の設定毎の出庫限度額を設けずに、あるいは入出庫取引の設定毎の出庫限度額に加えて、一日の入出庫取引の合計の出庫限度額を操作者識別番号データ毎に設定しても良い。また、操作者識別番号データ毎に出庫限度額を設定するのではなく、操作者ランク毎に出庫限度額を設定しても良い。
【００９３】
操作者により確定操作が第１の指示装置２００の操作キーボード２０９に入力されると、第１の指示装置２００の制御部２１５は、上記した金種入力データと、区別データと、数量入力データと、これらに基づいて算出される入庫の合計金額および出庫の合計金額とを第１の指示装置２００の表示部２０７に表示させる。それとともに、第１の指示装置２００の制御部２１５は、先に設定した第１の入出庫取引の設定識別データに関連付けて、第１の入出庫取引で入力された操作者識別番号データと、第１の入出庫取引にて入力された上記の金種入力データ、区別データおよび数量入力データとを第１の指示装置２００の記憶部２１６に記憶する。さらに、これらの設定識別データ、操作者識別番号データ、金種入力データ、区別データ、数量入力データを含んだ、入出庫を指示する指示情報を、現金管理装置１０にネットワーク経由で送信する。以下、この指示情報を他の指示情報と区別するため、第１の指示情報と称す。
【００９４】
ここで、区別データが入庫であることを示す場合、指示情報には、入庫指示が含まれることになり、区別データが出庫であることを示す場合、指示情報には、出庫指示が含まれることになる。つまり、第１の指示装置２００は、棒金および小束紙幣の少なくともいずれか一方からなる収納物の入庫指示および出庫指示の少なくともいずれか一方を含む指示情報を、管理装置群９の現金管理装置１０に送信する。
【００９５】
現金管理装置１０の制御部２５が、上記の第１の指示情報を受信する。すると、現金管理装置１０の制御部２５は、他と重複しない処理識別番号データ（処理識別情報）を採番し設定する。現金管理装置１０の制御部２５は、処理識別番号データを、第１の指示情報と関連づけて現金管理装置１０の記憶部２６に記憶させるとともに、第１の指示装置２００に送信する。
【００９６】
処理識別番号データを受信すると、第１の指示装置２００の制御部２１５は、第１の指示情報に含まれる金種入力データ、区別データ、数量入力データから算出される入庫の合計金額と、出庫の合計金額と、受信した処理識別番号データとを、第１の指示装置２００の表示部２０７に表示させるとともに、第１の指示装置２００のプリンタ２０６で紙面に印字して表示させる。以下、この紙面を他の紙面と区別するため、第１の紙面と称す。
【００９７】
上記のように第１の指示装置２００にて入出庫取引の設定入力を行った操作者、あるいは別の操作者が、現金管理装置１０に行って、そのカードリーダ１８にＩＤカードの操作者識別番号データを読み取らせ、その操作キーボード１９に暗証番号データを入力する。すると、現金管理装置１０の制御部２５が、入力されたこれらの操作者識別番号データおよび暗証番号データと一致するデータが現金管理装置１０の記憶部２６に予め記憶された操作者識別番号のマスタデータおよび操作者識別番号のマスタデータにあるか否かを判定し、いずれか一方でもマスタデータにない場合、現金管理装置１０の表示部１７にその旨の警告を発生させるとともに、音声発生部２０にアラーム音を発生させる。
【００９８】
入力された操作者識別番号データおよび暗証番号データと一致する操作者識別番号および暗証番号のマスタデータがある場合、つまり、操作者が適正である場合に、現金管理装置１０の制御部２５は、操作者識別番号データに対応づけして現金管理装置１０の記憶部２６に記憶されている操作者ランクに応じた操作メニューを現金管理装置１０の表示部１７に表示させる。操作者ランクは、現金管理装置１０の記憶部２６に予め記憶されている。操作者ランクは、現金管理装置１０の入出庫取引の実行が許可されている上位のランクと、現金管理装置１０の入出庫取引の実行が許可されていない下位のランクとがあり、操作者ランクが現金管理装置１０の入出庫取引の実行が許可されているランクである場合に限り、操作メニューに現金管理装置１０の入出庫取引の実行の選択メニューが表示される。
【００９９】
ここで、指示装置２００の記憶部２１６に記憶されている入出庫取引の設定入力に関する操作者ランクと、現金管理装置１０の記憶部２６に記憶されている入出庫取引の実行に関する操作者ランクとは、同じとしたり、異ならせたりすることができる。同じとする場合は、指示装置２００で上位ランクの操作者識別番号データは、現金管理装置１０でも必ず上位ランクとなり、指示装置２００で下位ランクの操作者識別番号データは、現金管理装置１０でも必ず下位ランクとなる。これに対して、異ならせる場合は、指示装置２００および現金管理装置１０の両方で上位ランクとなる操作者識別番号データがあり、指示装置２００および現金管理装置１０の両方で下位ランクとなる操作者識別番号データがあって、その上で、指示装置２００では上位ランクで現金管理装置１０では下位ランクとなる操作者識別番号データがあることになる。
【０１００】
入力された操作者識別番号データおよび暗証番号データと一致する操作者識別番号および暗証番号のマスタデータがあって、操作者識別番号データが上位のランクである場合、現金管理装置１０の制御部２５は、現金管理装置１０の表示部１７に、指示装置２００との連携処理である入出庫取引の実行入力の選択を含む操作メニューを表示させる。
【０１０１】
操作メニューの表示に基づく現金管理装置１０の操作キーボード１９への入力で、入出庫取引の実行入力が選択されると、現金管理装置１０の制御部２５は、現金管理装置１０の表示部１７に、処理識別番号データの入力を促す画面を表示させるとともに、現金管理装置１０の操作キーボード１９への処理識別番号データの入力を待機することになる。このとき、現金管理装置１０の記憶部２６に記憶されている未処理の処理識別番号データを現金管理装置１０の表示部１７に一覧表示させて、その中から現金管理装置１０の操作キーボード１９によって所望の処理識別番号データを選択入力させるようにしても良い。
【０１０２】
そして、現金管理装置１０の制御部２５は、処理識別番号データが入力されると、この入力データと一致するものが、現金管理装置１０の記憶部２６に記憶されている処理識別番号データの未処理の記憶データにあるか否かを判定し、入力データに一致するものが記憶データになければ、現金管理装置１０の表示部１７にその旨の警告を発生させるとともに、音声発生部２０にアラーム音を発生させて、一致するまで待機する。
【０１０３】
現金管理装置１０の操作キーボード１９に入力された処理識別番号データの入力データに一致するものが、現金管理装置１０の記憶部２６の未処理の記憶データにある場合、現金管理装置１０の制御部２５は、現金管理装置１０の表示部１７に、入庫および出庫のそれぞれの合計金額の入力を促す画面を表示させる。
【０１０４】
例えば、操作者が第１の紙面に表示された処理識別番号データを現金管理装置１０の操作キーボード１９に入力し、その結果、入力された処理識別番号データが現金管理装置１０の記憶部２６に記憶されている未処理の記憶データにある場合、現金管理装置１０の制御部２５は、現金管理装置１０の表示部１７に、入庫および出庫のそれぞれの合計金額の入力を促す画面を表示させる。現金管理装置１０の制御部２５は、それとともに、現金管理装置１０の操作キーボード１９による入庫および出庫のそれぞれの合計金額（一方が０の場合も含む）の入力を待機することになる。そして、現金管理装置１０の制御部２５は、入庫および出庫のそれぞれの合計金額が入力されると、処理識別番号データに関連づけて現金管理装置１０の記憶部２６に記憶されている第１の指示情報に含まれる入庫および出庫のそれぞれの金種入力データと数量入力データから算出される合計金額との一致を確認する。入庫および出庫のそれぞれの合計金額について入力データと記憶データとが一致していなければ、現金管理装置１０の表示部１７にその旨の警告を発生させるとともに、音声発生部２０にアラーム音を発生させて、一致する入力が行われるまで待機する。なお、ここで入力される合計金額については、少なくとも、現金管理装置１０からの出庫に関わる合計金額の入力だけを求め、かつ、第１の指示情報に含まれる出庫の金種入力データと数量入力データから算出される合計金額との一致の確認だけを求めるようにしても良い。
【０１０５】
入庫および出庫のそれぞれの合計金額について入力データと記憶データとが一致していると、現金管理装置１０の制御部２５は、日時情報を含む第１の入出庫取引の取引識別データを設定するとともに、処理識別番号データに関連づけて現金管理装置１０の記憶部２６に記憶されている第１の指示情報から、小束収納庫１２（ｂ）に対し入出庫される小束紙幣Ｔおよび棒金収納庫１２（ｃ）に対し入出庫される棒金Ｂのうちの少なくともいずれか一方について少なくとも一の金種である金種入力データと、入力された金種入力データのそれぞれについての入庫であるか出庫であるかの区別データと、入力された金種入力データのそれぞれについての数量である数量入力データとを現金管理装置１０の表示部１７に表示させるとともに、入出庫取引の実行操作を促す表示を現金管理装置１０の表示部１７に表示させて入出庫取引の実行操作を許可する。
【０１０６】
ここで、出庫の場合に、限度額を無制限としても良いが、現金管理装置１０の記憶部２６に、操作者識別番号データに応じた出庫限度額（出庫限度値）を設定記憶しておき、上記のように合計金額の入力データと記憶データとの一致を確認する際に、現金管理装置１０の操作キーボード１９によって入力された出庫の合計金額が、操作者識別番号データに対応する出庫限度額を越えているか否かを確認し、出庫の合計金額が、操作者識別番号データに対応する出庫限度額を越えている場合には、出庫限度額を越えている旨のアラーム表示を表示させて再入力を待機し、出庫の合計金額が、操作者識別番号データに対応する出庫限度額を越えていなければ、入出庫取引の実行操作を許可するようにしても良い。出庫の合計金額が、操作者識別番号データに対応する出庫限度額を越えている場合に、操作者は、操作者ランクが上の操作者に入出庫取引の実行操作を依頼することになる。つまり、現金管理システム１では、操作者識別番号データに対応する出庫限度額を越えていない場合に限り、現金管理装置１０での出庫が可能となる。
【０１０７】
操作者により入出庫取引の実行操作が現金管理装置１０の操作キーボード１９に入力されると、現金管理装置１０の制御部２５は、第１の指示情報の金種入力データに小束紙幣Ｔが含まれる場合は、含まれる金種の小束紙幣Ｔを収納している現金管理装置１０の小束収納庫１２（ｂ）を、一旦通常の開閉取引としてその開庫を許可し、対応するロック機構２２によりロックを解除することによって、第１の指示情報の金種入力データの小束紙幣Ｔが収納されている小束収納庫１２（ｂ）を開作動可能とするとともに、開作動可能な小束収納庫１２（ｂ）の表示灯２３を点灯させる。また、第１の指示情報の金種入力データに棒金Ｂが含まれる場合は、含まれる金種の棒金Ｂを収納している現金管理装置１０の棒金収納庫１２（ｃ）を、一旦通常の開閉取引としてその開庫を許可し、対応するロック機構２２によりロックを解除することによって、第１の指示情報の金種入力データの棒金Ｂが収納されている棒金収納庫１２（ｃ）を開作動可能とするとともに、開作動可能な棒金収納庫１２（ｃ）の表示灯２３を点灯させる。勿論、小束収納庫１２（ｂ）および棒金収納庫１２（ｃ）のうち、第１の指示情報の金種入力データの貨幣を収納していないもののロックは解除せず、表示灯２３も消灯状態を維持する。なお、複数の収納庫１２のロック機構２２によるロックが解除されても、転倒防止機構１１０によって、一つの収納庫１２が引き出されると、他の収納庫１２の引き出しは規制されることになる。好ましくは、第１の指示情報の金種入力データに小束紙幣Ｔと棒金Ｂの両方が含まれる場合は、いずれかのロック解除を先に行って小束紙幣Ｔまたは棒金Ｂの入出金取引を行い、すべての収納庫１２が閉じられた後に、他方のロック解除を行って、残る他方の入出金取引を行うようにしても良い。
【０１０８】
現金管理装置１０の制御部２５は、例えば、第１の指示情報の金種入力データに、現金管理装置１０の一の小束収納庫１２（ｂ）に収納されている小束紙幣Ｔが含まれる場合、この一の小束収納庫１２（ｂ）のロック機構２２のロックを解除するとともにその表示灯２３を点灯させることになり、その後、この一の小束収納庫１２（ｂ）の現金管理装置本体１１からの引き出しが開始されると、この一の小束収納庫１２（ｂ）用の全閉検知センサ９６、ロータリエンコーダ８８および全開検知センサ９７の開閉位相データからこの一の小束収納庫１２（ｂ）の開閉位置を検出することになり、これらの開閉位相データからこの一の小束収納庫１２（ｂ）が後端位置から前端位置まで移動したか否かを判断する。
【０１０９】
つまり、現金管理装置１０の制御部２５は、この一の小束収納庫１２（ｂ）用の全閉検知センサ９６、ロータリエンコーダ８８および全開検知センサ９７の開閉位相データに基づき、ロータリエンコーダ８８が検知ディスク８７の回転の検知を開始し且つ全閉検知センサ９６が検知片９５を検知しない状態となった後、ロータリエンコーダ８８が検知ディスク８７の回転の検知を停止し且つ全開検知センサ９７が検知片９５を検知する状態となると、この一の小束収納庫１２（ｂ）が後端位置から前端位置まで開庫された正常開動作を検出する。
【０１１０】
その後、現金管理装置１０の制御部２５は、ロータリエンコーダ８８が検知ディスク８７の回転の検知を開始し且つ全開検知センサ９７が検知片９５を検知しない状態となることで、この一の小束収納庫１２（ｂ）の閉方向の移動開始を検出すると、この一の小束収納庫１２（ｂ）に対して設けられた小束セット検知センサ６６、左端検出ラインセンサ６７、左側帯検出ラインセンサ６８、右側帯検出ラインセンサ６９および右端検出ラインセンサ７０の組の左右二組について、これらを駆動して、閉庫時の貨幣検出反射データの取り込みを開始させる。そして、ロータリエンコーダ８８が検知ディスク８７の回転の検知を停止し且つ全閉検知センサ９６が検知片９５を検知する状態となることで、この一の小束収納庫１２（ｂ）が後端位置に閉庫されたことが検出されると、貨幣検出反射データの取り込みを終了させる。
【０１１１】
そして、この一の小束収納庫１２（ｂ）の前端位置から後端位置に閉庫された正常開閉動作が検出されると、現金管理装置１０の制御部２５は、この一の小束収納庫１２（ｂ）の表示灯２３を消灯し、この一の小束収納庫１２（ｂ）に対して設けられた小束セット検知センサ６６、左端検出ラインセンサ６７、左側帯検出ラインセンサ６８、右側帯検出ラインセンサ６９および右端検出ラインセンサ７０の組の左右二組についての閉庫時の貨幣検出反射データから、上記のようにして、この一の小束収納庫１２（ｂ）の各束収納凹部４９に収納された小束紙幣Ｔの数量検出データおよび個々の小束紙幣Ｔの金種検出データを取得する。取得後、現金管理装置１０の制御部２５は、現金管理装置１０の表示部１７に、第１の指示情報の金種入力データ、区別データおよび数量入力データを表示させるとともに、合わせて、この一の小束収納庫１２（ｂ）の識別表示と、この一の小束収納庫１２（ｂ）について取得した、数量検出データおよび金種検出データを総合した金種別の数量検出データとを関連付けて表示させる。
【０１１２】
加えて、現金管理装置１０の制御部２５は、今回取得した金種別の数量検出データと、前回の入出庫取引時に現金管理装置１０の記憶部２６に記憶されたこの一の小束収納庫１２（ｂ）の金種別の数量検出データとから、この一の小束収納庫１２（ｂ）における増減分となる、今回の第１の入出庫取引での、実取引の数量である数量実取引データおよび実取引の金種である金種実取引データを総合した金種別の数量実取引データを割り出す。そして、現金管理装置１０の制御部２５は、この金種別の数量実取引データを、第１の指示情報の数量入力データと金種入力データとを総合した金種別の数量入力データと照合し、差異が存在したか否かを判定する。つまり、金種別の数量実取引データと、金種別の数量入力データとが一致すれば、差異は存在しないと判定し、それ以外は、差異が発生したと判定する。
【０１１３】
差異が存在しなければ、現金管理装置１０の制御部２５は、今回割り出した金種別の数量実取引データと、今回取得した金種別の数量検出データとを、第１の入出庫取引の取引識別データと関連付けて現金管理装置１０の記憶部２６に記憶し、この一の小束収納庫１２（ｂ）に対する開閉取引が終了したと判断する。
【０１１４】
他方、この一の小束収納庫１２（ｂ）において、金種別の数量実取引データと金種別の数量入力データとに差異が存在すると、現金管理装置１０の制御部２５は、現金管理装置１０の表示部１７に、この一の小束収納庫１２（ｂ）の識別表示と、金種別の数量実取引データと金種別の数量入力データとが一致しない旨の差異の種類と、金種別の数量実取引データと金種別の数量入力データとから割り出される、取り出す小束紙幣Ｔの金種別の数量と装填する小束紙幣Ｔの金種別の数量とを含む差異の解消方法とを、関連付けて警報として表示させる。そして、警報表示される解消方法を操作者が選択すると、現金管理装置１０の制御部２５は、通常の開閉取引から、通常以外の開閉取引に移行し、再びこの一の小束収納庫１２（ｂ）に対する開庫を許可して、そのロックを対応するロック機構２２により解除することにより、この一の小束収納庫１２（ｂ）を開作動可能とするとともに、その表示灯２３を点灯させる。
【０１１５】
そして、差異が解消されると、現金管理装置１０の制御部２５は、上記と同様に、今回割り出した金種別の数量実取引データと、今回取得した金種別の数量検出データとを、第１の入出庫取引の取引識別データと関連付けて現金管理装置１０の記憶部２６に記憶し、この一の小束収納庫１２（ｂ）に対する開閉取引が終了したと判断する。
【０１１６】
なお、第１の入出庫取引にて入力された金種入力データに他の小束収納庫１２（ｂ）に収納されている小束紙幣Ｔの金種が含まれている場合、現金管理装置１０の制御部２５は、上記した一の小束収納庫１２（ｂ）と同様の処理を現金管理装置１０の他の小束収納庫１２（ｂ）に対して行うことになる。
【０１１７】
また、現金管理装置１０の制御部２５は、第１の指示情報の金種入力データに、一の棒金収納庫１２（ｃ）に収納されている棒金Ｂが含まれる場合、この一の棒金収納庫１２（ｃ）のロックを解除するとともにその表示灯２３を点灯させることになり、その後、この一の棒金収納庫１２（ｃ）の現金管理装置本体１１からの引き出しが開始されると、この一の棒金収納庫１２（ｃ）用の全閉検知センサ９６、ロータリエンコーダ８８および全開検知センサ９７の開閉位相データからこの一の棒金収納庫１２（ｃ）の開閉位置を検出することになり、これらの開閉位相データからこの一の棒金収納庫１２（ｃ）が後端位置から前端位置まで移動したか否かを判断する。
【０１１８】
つまり、現金管理装置１０の制御部２５は、この一の棒金収納庫１２（ｃ）用の全閉検知センサ９６、ロータリエンコーダ８８および全開検知センサ９７の開閉位相データに基づき、ロータリエンコーダ８８が検知ディスク８７の回転の検知を開始し且つ全閉検知センサ９６が検知片９５を検知しない状態となった後、ロータリエンコーダ８８が検知ディスク８７の回転の検知を停止し且つ全開検知センサ９７が検知片９５を検知する状態となると、この一の棒金収納庫１２（ｃ）が後端位置から前端位置まで開庫された正常開動作を検出する。
【０１１９】
その後、現金管理装置１０の制御部２５は、ロータリエンコーダ８８が検知ディスク８７の回転の検知を開始し且つ全開検知センサ９７が検知片９５を検知しない状態となることで、この一の棒金収納庫１２（ｃ）の閉方向の移動開始を検出すると、この一の棒金収納庫１２（ｃ）に対して設けられたすべての棒金セット検知センサ７６およびすべての棒金検出ラインセンサ７７を駆動して、閉庫時の貨幣検出反射データの取り込みを開始させる。そして、ロータリエンコーダ８８が検知ディスク８７の回転の検知を停止し且つ全閉検知センサ９６が検知片９５を検知する状態となることで、この一の棒金収納庫１２（ｃ）が後端位置に閉庫されたことが検出されると、貨幣検出反射データの取り込みを終了させる。
【０１２０】
そして、この一の棒金収納庫１２（ｃ）の前端位置から後端位置に閉庫された正常開閉動作が検出されると、現金管理装置１０の制御部２５は、この一の棒金収納庫１２（ｃ）の表示灯２３を消灯し、この一の棒金収納庫１２（ｃ）に対して設けられたすべての棒金セット検知センサ７６およびすべての棒金検出ラインセンサ７７についての閉庫時の貨幣検出反射データから、上記のようにして、この一の棒金収納庫１２（ｃ）の各棒金収納凹部５９に収納された棒金Ｂの数量検出データおよび個々の棒金Ｂの金種検出データ、より正確には、棒金Ｂの設定金種に一致するか否かのデータを取得する。取得後、現金管理装置１０の制御部２５は、現金管理装置１０の表示部１７に、上記した金種入力データ、区別データおよび数量入力データを表示させるとともに、合わせて、この一の棒金収納庫１２（ｃ）の識別表示と、この一の棒金収納庫１２（ｃ）について取得した、数量検出データおよび金種検出データを総合した金種別の数量検出データとを関連付けて表示させる。
【０１２１】
加えて、現金管理装置１０の制御部２５は、今回取得した金種別の数量検出データと、前回の入出庫取引時に現金管理装置１０の記憶部２６に記憶されたこの一の棒金収納庫１２（ｃ）の金種別の数量検出データとから、この一の棒金収納庫１２（ｃ）における増減分となる、今回の第１の入出庫取引での、実取引の数量である数量実取引データおよび実取引の金種である金種実取引データを総合した金種別の数量実取引データを割り出す。そして、制御部２５は、この金種別の数量実取引データを、第１の指示情報の数量入力データと金種入力データとを総合した金種別の数量入力データと照合し、差異が存在したか否かを判定する。つまり、金種別の数量実取引データと、金種別の数量入力データとが一致すれば、差異は存在しないと判定し、それ以外は、差異が発生したと判定する。
【０１２２】
差異が存在しなければ、現金管理装置１０の制御部２５は、今回割り出した金種別の数量実取引データと、今回取得した金種別の数量検出データとを、第１の入出庫取引の取引識別データと関連付けて現金管理装置１０の記憶部２６に記憶し、この一の棒金収納庫１２（ｃ）に対する開閉取引が終了したと判断する。
【０１２３】
他方、この一の棒金収納庫１２（ｃ）において、金種別の数量実取引データと金種別の数量入力データとに差異が存在すると、現金管理装置１０の制御部２５は、現金管理装置１０の表示部１７に、この一の棒金収納庫１２（ｃ）の識別表示と、金種別の数量実取引データと金種別の数量入力データとが一致しない旨の差異の種類と、金種別の数量実取引データと金種別の数量入力データとから割り出される、取り出す棒金Ｂの金種別の数量と装填する棒金Ｂの金種別の数量とを含む差異の解消方法とを、関連付けて警報として表示させる。そして、警報表示される解消方法を操作者が選択すると、現金管理装置１０の制御部２５は、通常の開閉取引から、通常以外の開閉取引に移行し、再びこの一の棒金収納庫１２（ｃ）に対する開庫を許可して、そのロックを対応するロック機構２２により解除することにより、この一の棒金収納庫１２（ｃ）を開作動可能とするとともに、その表示灯２３を点灯させる。
【０１２４】
そして、差異が解消されると、現金管理装置１０の制御部２５は、上記と同様に、今回割り出した金種別の数量実取引データと、今回取得した金種別の数量検出データとを、第１の入出庫取引の取引識別データと関連付けて現金管理装置１０の記憶部２６に記憶し、この一の棒金収納庫１２（ｃ）に対する開閉取引が終了したと判断する。
【０１２５】
なお、第１の入出庫取引にて入力された金種入力データに他の棒金収納庫１２（ｃ）に収納されている棒金Ｂの金種が含まれている場合、現金管理装置１０の制御部２５は、上記した一の棒金収納庫１２（ｃ）と同様の処理を現金管理装置１０の他の棒金収納庫１２（ｃ）に対して行うことになる。
【０１２６】
最後に、現金管理装置１０の制御部２５は、すべての小束収納庫１２（ｂ）およびすべての棒金収納庫１２（ｃ）のうち、第１の指示情報の金種入力データの金種を収納しているものすべてについて、開閉取引が終了したと判断すると、第１の入出庫取引が終了したと判断する。
なお、上記の説明においては、現金管理装置１０の一の小束収納庫１２（ｂ）及びまたは一の棒金収納庫１２（ｃ）に対する入出庫取引を例にして説明したが、これに限るものではなく、図１に示したように、現金管理装置１０に、さらに、１台以上の補助的現金管理装置１０Ａが接続されている場合であって、入出庫に関わる小束または棒金を１台以上の補助的現金管理装置１０Ａに対して行う必要がある場合にも、操作及び表示は現金管理装置１０にて行い、小束または棒金の入出庫は指示された、または指示した１台以上の補助的現金管理装置１０Ａにおいて行われるように制御されることになる。
【０１２７】
以上の実施形態においては、指示装置群２０１の複数台の指示装置２００と管理装置群９の１台の現金管理装置１０とが通信可能に設けられた現金管理システム１について、１台の指示装置２００と１台の現金管理装置１０との連携を例にとり説明したが、複数台の指示装置２００のそれぞれについて、上記と同様にして、１台の現金管理装置１０と連携することができる。
【０１２８】
以上により、現金管理装置１０は、指示装置群２０１の複数台の指示装置２００と管理装置群９の１台の現金管理装置１０とが通信可能に設けられており、複数台の指示装置２００は、それぞれが、１台の現金管理装置１０に対して指示情報を送信し、１台の現金管理装置１０は、複数台の指示装置２００のうちの一の指示装置２００から一の指示情報を受信すると、他と重複しない処理識別番号データを、前記一の指示情報と関連づけて記憶し前記一の指示装置２００に送信して前記一の指示装置２００に表示させるとともに、前記処理識別情報が操作キーボード１９を介して入力されるとロック解除状態となる。
【０１２９】
また、指示装置２００は、カードリーダ２０８、操作キーボード２０９、制御部２１５および記憶部２１６による操作者の識別結果が適正である場合に限り、指示情報を現金管理装置１０に送信する。現金管理装置１０は、カードリーダ１８、操作キーボード１９、制御部２５および記憶部２６による操作者の識別結果が適正である場合に限り、ロック解除状態になる。
【０１３０】
また、現金管理装置１０は、入庫数および出庫数を検出する検出手段を有しており、処理識別番号データが操作キーボード１９を介して入力されてロック解除状態となった後、当該処理識別番号データに関連づけて記憶された指示情報と検出手段の検出結果とが一致するか否かを判定し、一致しない場合にはアラームを発生させる。
さらには、現金管理装置１０に、一台以上の補助的現金管理装置が接続されている場合にあっては、現金管理装置１０ないし一台以上の補助的現金管理装置のいずれか一以上をロック解除状態となす。
【０１３１】
以上に述べた本実施形態に係る現金管理システム１によれば、指示装置２００が、収納物の入庫指示および出庫指示の少なくともいずれか一方を含む指示情報を現金管理装置１０に送信すると、現金管理装置１０は、この指示情報を受信して、他と重複しない処理識別番号データを、指示情報と関連づけて記憶し指示装置２００に送信する。すると、この指示装置２００がこの処理識別番号データを表示させる。そして、現金管理装置１０は、この処理識別番号データが操作キーボード１９を介して入力されるとロック解除状態となる。このように、現金管理装置１０において他と重複しない処理識別情報を設定して指示装置２００と連携することから、多様化したニーズに対応する場合であっても、指示装置２００側に必要な変更を少なくできる。したがって、多様化したニーズに容易に対応することができる。
【０１３２】
つまり、上記のように、指示装置群２０１の複数台の指示装置２００と管理装置群９の１台の現金管理装置１０とが通信可能に設けられる場合に、複数台の指示装置２００のうちの一の指示装置２００が、収納物の入庫指示および出庫指示の少なくともいずれか一方を含む一の指示情報を、１台の現金管理装置１０に送信すると、前記現金管理装置１０は、前記一の指示情報を受信して、他と重複しない処理識別情報を、前記一の指示情報と関連づけて記憶し前記一の指示装置２００に送信する。すると、前記一の指示装置２００が前記処理識別番号データを表示させる。そして、前記現金管理装置１０は、前記処理識別情報が操作キーボード１９を介して入力されるとロック解除状態となる。これにより、複数台の指示装置２００に１台の現金管理装置１０を連携させるニーズに容易に対応することができる。
【０１３３】
また、図１４（Ａ）に示すように１台の指示装置２００と１台の現金管理装置１０とが通信可能に設けられる場合や、図１４（Ｂ）に示すように複数台の指示装置２００と１台の現金管理装置１０とが通信可能に設けられる場合にも、同じ現金管理装置１０を用いることができ、指示装置２００の改修も少なくなる。これにより、複数のニーズに容易に対応することができる。例えば、図１４（Ｂ）に示すように複数台の指示装置２００と１台の現金管理装置１０とが通信可能に設けられる場合には、複数台の指示装置２００のうちの一の指示装置２００が、収納物の入庫指示および出庫指示の少なくともいずれか一方を含む一の指示情報を現金管理装置１０に送信すると、現金管理装置１０は、前記一の指示情報を受信して、他と重複しない処理識別情報を、前記一の指示情報と関連づけて記憶し前記一の指示装置２００に送信する。すると、前記一の指示装置２００が前記処理識別情報を表示させる。そして、現金管理装置１０は、前記処理識別情報が操作キーボード１９を介して入力されるとロック解除状態となる。これにより、複数台の指示装置２００で一台の現金管理装置１０を共用化するニーズに容易に対応することができる。
【０１３４】
また、複数台の指示装置２００が同種の装置である場合には、複数台の同種の指示装置２００で一台の現金管理装置１０を共用化するニーズに容易に対応することができる。
【０１３５】
また、複数台の指示装置２００が異種の装置である場合には、複数台の異種の指示装置２００で一台の現金管理装置１０を共用化するニーズに容易に対応することができる。
【０１３６】
また、指示装置２００は、カードリーダ２０８、操作キーボード２０９、制御部２１５および記憶部２１６によって、操作者識別データを識別し、その識別結果が適正である場合に限り、指示情報を現金管理装置１０に送信する。このため、すべての指示装置２００から指示情報を現金管理装置１０に送信することができたり、一部の指示装置２００から指示情報を現金管理装置１０に送信することができるものの残りの指示装置２００からは指示情報を現金管理装置１０に送信することができなかったり、すべての指示装置２００から指示情報を現金管理装置１０に送信することができなかったり等、操作者識別データに応じて、指示情報を現金管理装置１０に送信する権限を異ならせることができる。
【０１３７】
また、現金管理装置１０は、カードリーダ１８、操作キーボード１９、制御部２５および記憶部２６によって、操作者識別データを識別し、その識別結果が適正である場合に限り、ロック解除状態となる。このため、権限を有している者に対しては識別結果が適正となって現金管理装置１０をロック解除状態とし、権限を有していない者に対しては識別結果が適正とはならず現金管理装置１０をロック解除状態にしない等、識別した操作者識別データに応じて、現金管理装置１０のロックを解除する権限を異ならせることができる。
【０１３８】
また、同じ操作者識別データであれば、指示装置２００から指示情報を現金管理装置１０に送信することができて現金管理装置１０をロック解除状態とすることができるようにしたり、同じ操作者識別データであっても、指示装置２００から指示情報を現金管理装置１０に送信することができるものの現金管理装置１０をロック解除状態とすることができなくしたりすること等ができる。現金管理装置１０をロック解除状態とすることができない場合、現金管理装置１０をロック解除状態とすることができる操作者識別データが記憶されたＩＤカードを有する操作者に操作を依頼することになる。
【０１３９】
また、現金管理装置１０は、カードリーダ１８、操作キーボード１９、制御部２５および記憶部２６によって、操作者識別データを識別し、その識別結果に応じて指示情報として設定可能な出庫限度値が設定されている。このため、操作者のランクに応じて出庫限度値を設定できる。例えば、一の操作者識別データに対しては出庫限度値を１００万円とし、別の操作者識別データに対しては出庫限度値を５００万円とし、さらに別の操作者識別データに対しては出庫限度値を無制限としたりすることができる。現金管理装置１０から所望の出庫ができない場合、所望の出庫ができる操作者識別データが記憶されたＩＤカードを有する操作者に操作を依頼することになる。
【０１４０】
以上の実施形態においては、入出庫が許可されたランクの操作者識別番号データが現金管理装置１０で得られ、処理識別番号データの入力データと一致する記憶データが存在し、この処理識別番号データを含む指示情報の入庫および出庫のそれぞれの合計金額の記憶データと入力データとが一致するという３つの条件を満足する場合に、現金管理装置１０の収納庫１２のロックを解除する場合を説明した。これに対し、現金管理装置１０において、入力された操作者識別データと同じ操作者識別データを含む指示情報が記憶されているという１つの条件を満足する場合に、この指示情報に基づいて収納庫１２のロックを解除しても良い。また、現金管理装置１０において、処理識別番号データの入力データと一致する記憶データを含む指示情報が記憶されているという１つの条件を満足すると、この処理識別番号データを含む指示情報に基づいて収納庫１２のロックを解除しても良い。また、現金管理装置１０において、入庫および出庫のそれぞれの合計金額の入力データと一致する記憶データを含む指示情報が記憶されているという１つの条件を満足すると、この指示情報に基づいて収納庫１２のロックを解除しても良い。この場合、指示装置２００での設定入力からの時間を見て、時間の経過とともに、上記条件に、処理識別番号データの入力データと記憶データとの一致を見る条件を付加したり、操作者識別データの入力データと記憶データとの一致を見る条件を付加したりしても良い。
【符号の説明】
【０１４１】
１  現金管理システム
１０  現金管理装置
１８  カードリーダ（操作者識別手段，第２の操作者識別手段）
１９  操作キーボード（操作手段，操作者識別手段，第２の操作者識別手段）
２５  制御部（操作者識別手段，第２の操作者識別手段）
２６  記憶部（操作者識別手段，第２の操作者識別手段）
２００  指示装置
２０８  カードリーダ（第１の操作者識別手段）
２０９  操作キーボード（第１の操作者識別手段）
２１５  制御部（第１の操作者識別手段）
２１６  記憶部（第１の操作者識別手段）
Ｂ  棒金（収納物）
Ｔ  小束紙幣（収納物）
【図１】
2015191486.tif 000003
【図２】
2015191486.tif 000004
【図３】
2015191486.tif 000005
【図４】
2015191486.tif 000006
【図５】
2015191486.tif 000007
【図６】
2015191486.tif 000008
【図７】
2015191486.tif 000009
【図８】
2015191486.tif 000010
【図９】
2015191486.tif 000011
【図１０】
2015191486.tif 000012
【図１１】
2015191486.tif 000013
【図１２】
2015191486.tif 000014
【図１３】
2015191486.tif 000015
【図１４】
2015191486.tif 000016